(57)【要約】【課題】印刷指定ファイルに対応していないフォーマットの画像ファイルを印刷指定する場合に、印刷指定ファイルを用いて印刷指定できるようにする。【解決手段】印刷指定されたファイルがＲＡＷ画像ファイルであり、かつそのＲＡＷ画像ファイルに対応するＪＰＥＧ形式の画像ファイルが存在しない場合には、ＲＡＷ画像ファイルを復号化し、現像処理を行ってＪＰＥＧ形式で符号化し、ＪＰＥＧ形式の画像ファイルとして記録する。さらに、印刷向けに選択された画像ファイルのファイル名及び印刷条件をＤＰＯＦファイルに生成して記録する。【選択図】図１
2015204553.tif 000002
【特許請求の範囲】
【請求項１】
印刷指定する画像ファイルを選択する選択手段と、
前記選択手段によって、記録媒体に記録された画像ファイルのうち、印刷指定ファイルによる印刷指定ができない第１のフォーマットの画像ファイルが選択された場合に、前記第１のフォーマットの画像ファイルを復号化して前記印刷指定ファイルによる印刷指定が可能な第２のフォーマットの画像ファイルを生成する生成手段と、
前記生成手段によって生成された第２のフォーマットの画像ファイルを前記記録媒体に記録するとともに、前記第２のフォーマットの画像ファイルに対する印刷条件を含む印刷指定ファイルを生成して前記記録媒体に記録する記録手段とを有することを特徴とする画像処理装置。
【請求項２】
前記選択手段によって前記第１のフォーマットの画像ファイルが選択された場合であって、かつ前記第１のフォーマットの画像ファイルに対応する前記第２のフォーマットの画像ファイルが前記記録媒体に記録されている場合に、前記生成手段は、前記第２のフォーマットの画像ファイルを新たに生成しないようにし、前記記録手段は、前記記録媒体に既に記録されている前記第２のフォーマットの画像ファイルに対する印刷条件を含む印刷指定ファイルを生成して前記記録媒体に記録することを特徴とする請求項１に記載の画像処理装置。
【請求項３】
前記第１のフォーマットの画像ファイルは、ＲＡＷ画像データが符号化された画像ファイルであることを特徴とする請求項１又は２に記載の画像処理装置。
【請求項４】
前記生成手段は、前記第１のフォーマットの画像ファイルを復号化した後に現像処理を行って前記第２のフォーマットの画像ファイルを生成することを特徴とする請求項３に記載の画像処理装置。
【請求項５】
前記第１のフォーマットの画像ファイルは、ＲＡＷ画像データが可逆符号化された画像ファイルであることを特徴とする請求項３又は４に記載の画像処理装置。
【請求項６】
前記印刷指定ファイルは、ＤＰＯＦ（Digital Printing Order Format）ファイルであることを特徴とする請求項１〜５の何れか１項に記載の画像処理装置。
【請求項７】
前記第１のフォーマットの画像ファイルのインデックス表示において、縮小画像と共に、前記第２のフォーマットの画像ファイルに対して設定された印刷指定の情報を表示する表示手段をさらに有することを特徴とする請求項１〜６の何れか１項に記載の画像処理装置。
【請求項８】
印刷指定する画像ファイルを選択する選択工程と、
前記選択工程において、記録媒体に記録された画像ファイルのうち、印刷指定ファイルによる印刷指定ができない第１のフォーマットの画像ファイルが選択された場合に、前記第１のフォーマットの画像ファイルを復号化して前記印刷指定ファイルによる印刷指定が可能な第２のフォーマットの画像ファイルを生成する生成工程と、
前記生成工程において生成された第２のフォーマットの画像ファイルを前記記録媒体に記録するとともに、前記第２のフォーマットの画像ファイルに対する印刷条件を含む印刷指定ファイルを生成して前記記録媒体に記録する記録工程とを有することを特徴とする画像処理方法。
【請求項９】
印刷指定する画像ファイルを選択する選択工程と、
前記選択工程において、記録媒体に記録された画像ファイルのうち、印刷指定ファイルによる印刷指定ができない第１のフォーマットの画像ファイルが選択された場合に、前記第１のフォーマットの画像ファイルを復号化して前記印刷指定ファイルによる印刷指定が可能な第２のフォーマットの画像ファイルを生成する生成工程と、
前記生成工程において生成された第２のフォーマットの画像ファイルを前記記録媒体に記録するとともに、前記第２のフォーマットの画像ファイルに対する印刷条件を含む印刷指定ファイルを生成して前記記録媒体に記録する記録工程とをコンピュータに実行させることを特徴とするプログラム。
【発明の詳細な説明】
【技術分野】
【０００１】
本発明は、特に、記録された画像データに対して印刷を指示するために用いて好適な画像処理装置、画像処理方法及びプログラムに関する。
【背景技術】
【０００２】
従来の撮像装置では、撮像センサによって撮像されたままの画像情報（ＲＡＷ画像データ）をディベイヤー処理（デモザイク処理）し、輝度と色差とからなる信号に変換する。そして、各信号についてノイズ除去、光学的な歪補正、画像の適正化などのいわゆる現像処理を行っている。さらに、その後工程として、現像処理された輝度信号及び色差信号を圧縮符号化して、記録媒体に記録するのが一般的である。このとき、静止画で現在広く採用されている符号化方式がＪＰＥＧフォーマット（ISO/IEC-10918）である。
【０００３】
一方、ＲＡＷ画像データを直接記録することができる撮像装置も存在する。ＲＡＷ画像データは記録に必要なデータ量が膨大になるが、オリジナル画像に対する補正や劣化を最低限に抑えられ、撮影後に、ホワイトバランス、コントラストなどを再編集することができるという利点がある。このため、特に上級者およびプロフェッショナルフォトグラファによってＲＡＷ画像データが好んで利用されている。
【０００４】
ところで、ＲＡＷ画像データのフォーマットは、センサの画素構成などによっても異なってくるため、一般的にＪＰＥＧのような国際的な標準規格とはなっておらず、各カメラメーカーが独自で策定している場合が多い。そのため、記録されたＲＡＷ画像データを印刷用途に用いる際には、フォーマットに対応していないラボやプリンタでＲＡＷ画像データを現像するのが困難となる。したがって、撮影したカメラ本体や対応するアプリによって現像した画像データを印刷に供することになる。ＲＡＷ画像データの印刷システムとして、特許文献１には、ＲＡＷ画像データとそれに対応するプレビュー用のＪＰＥＧ形式の画像データとの何れかを選択して印刷する構成が開示されている。
【先行技術文献】
【特許文献】
【０００５】
【特許文献１】特開２００８−３６８５６号公報
【発明の概要】
【発明が解決しようとする課題】
【０００６】
一般的に、ディジタルカメラ等の撮像装置には、印刷するための情報として、ＤＰＯＦ（Digital Printing Order Format）ファイルを生成する機能が搭載されている。図１１には、ＤＰＯＦファイルの例を示す。ＤＰＯＦファイル自体はこのようなテキストファイルとして構成され、どの画像を何枚印刷するか、印刷サイズはどうするか、日付情報を印字するか否かといったユーザによる設定が記憶されている。図１１に示す例では、さらに文字列１１０１〜１１０４において、印刷指定される画像ファイルの記録メディア内の相対パスが記述されている。
【０００７】
このＤＰＯＦファイルを生成した後、メモリカードなどの記録メディアの所定のディレクトリ（フォルダ）に画像データとともに記録する。このようにＤＰＯＦファイルを生成してラボに記録メディアごと提出することによって、ラボの窓口等で印刷の指定をしなくても印刷依頼を完結させることが可能になる。
【０００８】
ところが、前述したように、ＲＡＷ画像データのフォーマットはカメラメーカー独自のものであり、すべてのカメラについて共通に使用できるフォーマットではない。また、ＲＡＷ画像データは未現像の状態であるため、現像処理自体をラボで行う必要がある。このＤＰＯＦファイルで指定可能な画像フォーマットはＪＰＥＧフォーマットであり、ＲＡＷ画像データのフォーマットを指定できず、ＲＡＷフォーマットで記録されたＲＡＷ画像データを印刷指定できないという問題がある。
【０００９】
本発明は前述の問題点に鑑み、印刷指定ファイルに対応していないフォーマットの画像ファイルを印刷指定する場合に、印刷指定ファイルを用いて印刷指定できるようにすることを目的としている。
【課題を解決するための手段】
【００１０】
本発明に係る画像処理装置は、印刷指定する画像ファイルを選択する選択手段と、前記選択手段によって、記録媒体に記録された画像ファイルのうち、印刷指定ファイルによる印刷指定ができない第１のフォーマットの画像ファイルが選択された場合に、前記第１のフォーマットの画像ファイルを復号化して前記印刷指定ファイルによる印刷指定が可能な第２のフォーマットの画像ファイルを生成する生成手段と、前記生成手段によって生成された第２のフォーマットの画像ファイルを前記記録媒体に記録するとともに、前記第２のフォーマットの画像ファイルに対する印刷条件を含む印刷指定ファイルを生成して前記記録媒体に記録する記録手段とを有することを特徴とする。
【発明の効果】
【００１１】
本発明によれば、印刷指定ファイルに対応していないフォーマットの画像ファイルを印刷指定する場合に、印刷指定ファイルを用いて印刷指定することができる。
【図面の簡単な説明】
【００１２】
【図１】本発明の実施形態に係る撮像装置の内部構成例を示すブロック図である。
【図２】ＲＡＷ画像データを符号化する機能に関する詳細な構成例を示すブロック図である。
【図３】撮像センサのベイヤー配列の画素配列の例を示す図である。
【図４】ＲＧＢのそれぞれの画素の符号化ブロックを説明するための図である。
【図５】行方向に２画素加算読み出しを行う方法を説明するための図である。
【図６】ＲＡＷ画像データを符号化する機能に関する詳細な他の構成例を示すブロック図である。
【図７】符号化されたＲＡＷ画像データを復号化する機能に関する詳細な構成例を示すブロック図である。
【図８】ＤＰＯＦファイルを生成する処理手順の一例を示すフローチャートである。
【図９】記録メディアに記録されるファイルの構造例を示す図である。
【図１０】ＲＡＷ画像ファイルとＪＰＥＧ形式の画像ファイルとの対応を説明するための図である。
【図１１】ＤＰＯＦファイルの一例を示す図である。
【図１２】記録されているＲＡＷ画像のインデックス表示例を示す図である。
【発明を実施するための形態】
【００１３】
以下、本発明の実施形態について、図面を参照しながら説明する。
図１は、本実施形態に係る撮像装置１００の内部構成例を示すブロック図である。
図１において、撮像部１０１は、光学レンズおよび撮像センサより構成されており、撮像部１０１は、被写体像を撮像して、撮像信号（ベイヤデータ）を生成する。現像部１０２は、画像処理として、撮像センサから得られたベイヤーデータに対する、各種補正処理、ディベイヤー処理などの現像処理を行い、現像処理によってＹＣｒＣｂ形式の画像データを生成する。
【００１４】
ＪＰＥＧ符号化復号化部１０４は、現像処理されたＹＣｒＣｂ形式の画像データを周知の画像圧縮フォーマットであるＪＰＥＧ形式に変換する。また、ＪＰＥＧ符号化復号化部１０４は、ＪＰＥＧ形式に画像データを符号化する機能のみならず、ＪＰＥＧ形式の画像データを復号化する機能も有する。ＲＡＷ符号化復号化部１０３は、撮像センサから得られたベイヤーデータ（ＲＡＷ画像データ）をそのまま符号化する。また、ＲＡＷ符号化復号化部１０３は、符号化されたＲＡＷ画像データを復号化する機能も有する。
【００１５】
ここで、ＲＡＷ画像データの符号化及び復号化を行う構成について説明する。
図２は、ＲＡＷ画像データを符号化する機能に関する詳細な構成例を示すブロック図である。
図２において、撮像センサから入力されたＲＧＢ画像データは行分割機能部２０１で処理された後、フレームメモリ２０２に一次記憶される。このときの各色コンポーネントの配置は、撮像センサの画素配置によって異なるが、例えば、図３に示すようなベイヤー配列を用いるものとする。
【００１６】
図３には、撮像センサの画素配列の例を示す。図３に示す配列において、対応する画素のカラーフィルタの配置によってＲ（赤）Ｇ（緑）Ｂ（青）の３原色が取得される。さらに、撮像センサの一種でありＣＭＯＳセンサにおいては、センサ内部に画素データごとについての演算機能を付加することが可能になってきており、画素加算と呼ばれる読み出し方法が採用されることが多い。
【００１７】
図３に示すように、ベイヤー配列の撮像センサにおいては、Ｇ画素３０１の総画素数は、Ｒ画素３０２およびＢ画素３０３の４倍存在する。例えば符号化処理では、図４に示すように、Ｇの１６×１６画素の集合、ＢおよびＲの８×８画素の集合を符号化単位（符号化ブロック）として定義する。
【００１８】
以下、図５に示すように、行（又は列）方向に２画素加算読み出しを行う例について説明する。図５に示すように、Ｇの画素群に対して、読み出し画素の偶数行（Ｇ１）と奇数行（Ｇ２）とを分割し、各々をＧ１画素のみで構成された符号化ブロック（Ｇ１ブロック）、及びＧ２画素のみで構成された符号化ブロック（Ｇ２ブロック）として構成する。図２の行分割機能部２０１は、このように符号化ブロックを構成する。
【００１９】
図２の動きベクトル検出部２０６は、Ｇ画素平面での動き検出処理を行う。動き検出自体のアルゴリズムは、従来のＭＰＥＧやＨ．２６４（あるいはＭＰＥＧ−４  ＡＶＣ）等の符号化方式と類似している。具体的には、例えば、符号化対象フレームと参照フレームとの間で、符号化ブロック単位における画素差分値の絶対値総和を求め、その最小値を得る位置を動きベクトルとして採用する。
【００２０】
ただし、Ｇ１ブロックは、参照フレームにおいてもＧ１画素のみを対象とし、Ｇ２ブロックは、参照フレームにおいてもＧ２画素のみを参照対象とすることによって、符号化対象画像と参照画像との対称性を保持することが肝要である。
【００２１】
動き補償処理部２０３は、Ｇ画素平面で求められた動きベクトルに従って、Ｇ画素平面、Ｂ画素平面、Ｒ画素平面ごとに動き補償を行う。このとき、Ｂ画素平面及びＲ画素平面に対しては、Ｇ画素平面の動きベクトルを１／２にして動き補償を行う。
【００２２】
整数変換部２０４は、動き補償が行われた後の差分画像データに対して周波数変換を行う。ここで、Ｈ．２６４（あるいはＭＰＥＧ−４  ＡＶＣ）勧告においては整数変換を使用している。整数変換部２０４で用いる変換式については特記しないが、ＭＰＥＧ−２で使用されているＤＣＴ（離散コサイン変換）とは異なり、演算自体が整数精度で構成可能な方式であり、可逆な変換であるという特徴を有している。
【００２３】
エントロピー符号化部２０５は、変換された係数データの可変長符号化を行い、符号データを出力する。なお、この方式においては、可逆符号化を実施するものとし、一般的な符号化で採用されている変換係数の量子化機能を備えていない。以上のような構成とすることにより、加算読み出しされた撮像センサの出力データに対し、そのままの形で動き補償を用いた可逆符号化を実施することができる。
【００２４】
図６は、ＲＡＷ画像データを符号化する機能に関する詳細な他の構成例を示すブロック図である。
図６に示す例では、撮像センサから出力されるデータが、列方向に加算読み出しされる点で図２の構成とは異なっており、行分割機能部２０１の代わりに、列分割機能部６０１を備えている。このような構成とすることによって、列方向の加算読み出しについて、行方向と同様に処理することができる。
【００２５】
図７は、符号化されたＲＡＷ画像データを復号化する機能に関する詳細な構成例を示すブロック図である。
図７において、符号化されたＲＡＷ画像データ（符号データ）の再生を開始すると、符号データがエントロピー復号化部７０１に入力される。エントロピー復号化部７０１は、入力された符号データの復号処理を行って整数変換係数を出力する。逆整数変換部７０２は、図２及び図６に示した整数変換部２０４と逆の変換処理を行う。動き補償部７０３は、符号化ブロックごとにフレームメモリ７０５に格納されている復号済画像を参照して、動き補償処理を行う。行結合機能部７０４は、Ｇ１ブロックおよびＧ２ブロックを結合し、画像を形成する。
【００２６】
フレームメモリ７０５は、行結合機能部７０４で結合された画像（復号化された画像）を格納するメモリであり、動き補償の参照画像を格納するメモリとしても機能する。ここで、復号化された画像は、撮像センサから読み出しされたままの状態であるため、この画像を表示する場合には、以下の処理を行う。まず、重心補正部７０６は、Ｇ１行およびＧ２行の画素間距離を一定にする重心補正処理を行う。重心補正された画像データはベイヤー配列のままであるため、表示する場合には、さらに現像処理部７０７において現像処理が行われ、表示可能な画像として構築される。
【００２７】
前述したように、ＲＡＷ画像データのフォーマットは、カメラメーカー独自のものであり、すべてのカメラについて共通に使用できるフォーマットではないため、ＲＡＷ符号化復号化部１０３の構成については様々な形態を適用することができる。また、図２及び図６では、動画データを可逆符号化する構成について説明したが、ＲＡＷ符号化復号化部１０３の構成は、可逆符号化を実施できる構成であることが好ましい。これにより、画質を劣化させずに、符号化されたＲＡＷ画像データを復号化して現像処理された画像データを生成することができる。
【００２８】
図１の説明に戻り、ＤＰＯＦ制御部１０５は、印刷指定ファイルとしてＤＰＯＦ（Digital Printing Order Format）ファイルを生成する。この処理の詳細については後述する。記録メディア１０６は、メモリカード等の記録媒体であり、符号化されたＲＡＷ画像データや符号化されたＪＰＥＧ画像データ、さらに、ＤＰＯＦファイルなどが記録されている。一次記憶装置１０７は、ＤＲＡＭやＳＲＡＭなどから構成される記憶装置である。ユーザインタフェース１０８は各種指示入力を行うためのものである。制御部１０９は、撮像装置１００全体を制御し、記録メディア１０６に画像ファイルを記録するなどの処理を行う。表示部１１０は、液晶パネル等からなり、撮影中や再生時の画像表示や、メニュー表示、画像のインデックス表示などを行う表示部である。
【００２９】
図８は、本実施形態におけるＤＰＯＦファイルを生成する処理手順の一例を示すフローチャートである。
まず、Ｓ８０１において、ユーザの操作によりユーザインタフェース１０８から指示が入力されると処理を開始する。そして、Ｓ８０２において、制御部１０９は、ユーザインタフェース１０８からの選択操作に従い、印刷対象となる画像ファイルを指定する。また、ユーザの操作によりユーザインタフェース１０８から、印刷対象となる画像ファイルについて、印刷枚数や、印刷サイズ、日付情報を印字するか否かといった情報も受け付ける。
【００３０】
次に、Ｓ８０３において、制御部１０９は、印刷指定されたファイルが、ＲＡＷフォーマットであるか否かを判定する。この判定の結果、印刷指定されたファイルが通常のＪＰＥＧフォーマットであった場合は、Ｓ８０７において、ＤＰＯＦ制御部１０５は、ＪＰＥＧ形式の画像ファイルを印刷指定するファイルとして選択する。
【００３１】
一方、Ｓ８０３の判定の結果、印刷指定されたファイルがＲＡＷフォーマットであった場合は、Ｓ８０４に進む。そして、Ｓ８０４において、制御部１０９は、該当するＲＡＷフォーマットの画像ファイル（ＲＡＷ画像ファイル）に対応するＪＰＥＧ形式の画像ファイルが記録メディア１０６に存在するかどうかをチェックする。本実施形態では、対応するＲＡＷ画像ファイルとＪＰＥＧ形式の画像ファイルとを拡張子が異なる同じファイル名で管理されているものとする。そして、同じファイル名のＪＰＥＧ形式の画像ファイルが存在するか否かをチェックする。
【００３２】
このチェックの結果、対応するＪＰＥＧ形式の画像ファイルが存在する場合は、対応するＲＡＷ画像ファイルに係るＲＡＷ画像データから過去に現像処理が行われたものとみなし、Ｓ８０８に進む。そして、Ｓ８０８において、ＤＰＯＦ制御部１０５は、ＲＡＷ画像データから現像されて生成された（同じファイル名の）ＪＰＥＧ形式の画像ファイルを選択して印刷指定する。このように、印刷すべき画像を指定するモードで選択された画像がＲＡＷ画像であった場合には、それに対応する既に現像済の画像ファイルを代用して印刷指定する機能を有する。
【００３３】
一方、Ｓ８０４のチェックの結果、対応するＪＰＥＧ形式の画像ファイルが存在しない場合は、Ｓ８０５において、制御部１０９は、ＲＡＷ画像ファイルを記録メディア１０６から読み出し、ＲＡＷ符号化復号化部１０３にて復号化を行う。そして、現像部１０２にて現像処理を実行する。次に、Ｓ８０６において、ＪＰＥＧ符号化復号化部１０４は、現像処理後の画像データをＪＰＥＧフォーマットにより符号化し、制御部１０９は、記録メディア１０６に画像ファイルとして新規に記録する。このとき、ファイル名は、元のＲＡＷ画像ファイルと同じものとし、ファイル識別用の情報として、例えば拡張子を異ならせる。以降、ファイルの識別子を参照することで、現像済か否かを識別することもできる。そして、Ｓ８０９において、ＤＰＯＦ制御部１０５は、新規に記録されたＪＰＥＧ形式の画像ファイルを選択して印刷指定する。このように、印刷すべき画像を指定するモードで選択された画像がＲＡＷ画像であった場合には、新たにＲＡＷ現像を行って得られた画像ファイルを印刷指定する機能も有する。
【００３４】
続いて、Ｓ８１０において、ＤＰＯＦ制御部１０５は、例えば図１１に示すようなＤＰＯＦファイルを生成し、印刷向けに選択された画像ファイルのファイル名をＤＰＯＦファイルに記載する。このとき、Ｓ８０２において指定された印刷条件も併せて記載する。そして、ＤＰＯＦ制御部１０５は、生成されたＤＰＯＦファイルを記録メディア１０６に記録する。
【００３５】
次に、Ｓ８１１において、制御部１０９は、ユーザの操作によりユーザインタフェース１０８から、さらに印刷指定する旨の入力があったか否かを判定する。この判定の結果、さらに印刷指定する旨の入力があった場合は、Ｓ８０２に戻り、処理を繰り返す。一方、Ｓ８１１の判定の結果、印刷指定を終了する旨の入力があった場合は、Ｓ８１２に進み、処理を終了する。以上のように印刷指定した画像ファイルの分だけＤＰＯＦファイル自体が更新され、図１１に示すようなＤＰＯＦファイルが生成される。
【００３６】
図９は、記録メディア１０６に記録されるファイルの構造例を示す図である。図９に示す例は、ＤＣＦ規格（Digital Camera Format）に準拠した構造である。図９に示すように、画像フォルダ９０１の下には、撮影日等の条件で異なる所定のサブフォルダ９０２が作成され、サブフォルダ９０２の中にＪＰＥＧ画像ファイル９０５とＲＡＷ画像ファイル９０６とが保存される。一方、ＭＩＳＣフォルダ９０３には、"AUTOPRINT.MRK"という名称のＤＰＯＦファイル９０４が格納されており、このＤＰＯＦファイル９０４に印刷指定情報が順次記載される。
【００３７】
図１０は、ＲＡＷ画像ファイルとＪＰＥＧ形式の画像ファイルとの対応を説明するための図である。図１０において、"IMG_0100.CR2"ファイル１００１、"IMG_0101.CR2"ファイル１００３及び"IMG_0102.CR2"ファイル１００５はすべて、ＲＡＷフォーマットのＲＡＷ画像ファイルである。ここで、拡張子"CR2"は、カメラメーカーが独自に設定したＲＡＷフォーマットのファイルであることを示している。また、"IMG_0100.JPG"ファイル１００２、及び"IMG_0101.JPG"ファイル１００４は、それぞれ対応するＪＰＥＧ形式の画像ファイルである。一方、"IMG_0102.CR2"ファイル１００５については、対応するＪＰＥＧ形式のファイルが存在しない。そこで、この画像ファイルを印刷指定する場合には、本実施形態の手法に基づいて、新たに"IMG_0102.JPG"ファイル１００６を生成し、記録メディア１０６に記録する。
【００３８】
図１２は、ＲＡＷ画像のインデックス表示例を示す図である。本実施形態に係る撮像装置１００は、ユーザインタフェース１０８からの指示に応じて、記録メディア１０６に記録されているＲＡＷ画像ファイルの縮小画像の一覧表示（インデックス表示）を行い、表示部１１０に表示することができる。このとき、表示されるＲＡＷ画像の縮小画像１２０１と共に、当該画像が印刷指定されていることを示すマーク１２０２を表示する。印刷指定されていることは記録されたＤＰＯＦファイルを参照することによって判別する。本実施形態では、別に生成されたＪＰＥＧ画像ファイルの方が印刷指定されている場合であっても、それに対応するＲＡＷ画像の縮小画像に対して印刷指定済のマーク１２０２を付加して表示するようにする。すなわち、ＲＡＷ画像ファイルとＪＰＥＧ形式の画像ファイルとで、ファイル名を対応付けたことによって、印刷指定の有無を共有化して管理することができる。
【００３９】
以上のように本実施形態によれば、ＲＡＷ画像ファイルが印刷指定された場合に、対応する現像後のＪＰＥＧ形式の画像ファイルを生成するようにした。これによりＤＰＯＦファイルを用いてラボ等で印刷処理を行うことができる。なお、上述した説明では、印刷指定ファイルとしてＤＰＯＦを例に説明したが、本実施形態はＤＰＯＦに限らず、同様の印刷指定機能を有するファイルやデータに同様に適用可能である。
【００４０】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４１】
１０３  ＲＡＷ符号化復号化部
１０５  ＤＰＯＦ制御部
１０６  記録メディア
１０９  制御部
【図１】
2015204553.tif 000003
【図２】
2015204553.tif 000004
【図３】
2015204553.tif 000005
【図４】
2015204553.tif 000006
【図５】
2015204553.tif 000007
【図６】
2015204553.tif 000008
【図７】
2015204553.tif 000009
【図８】
2015204553.tif 000010
【図９】
2015204553.tif 000011
【図１０】
2015204553.tif 000012
【図１１】
2015204553.tif 000013
【図１２】
2015204553.tif 000014